(57)【特許請求の範囲】
【請求項１】
表示部と、
被測定者の体重を測定する体重測定部と、
被測定者の生体インピーダンスを測定するインピーダンス測定部と、
使用者の体脂肪に係る値の算出に供される体重値を登録体重値として保持した記憶装置と、
前記体重測定部によって測定された体重値と前記登録体重値とを、体脂肪に係る値の算出に供される体重値として、前記表示部に同時に表示する制御部と
を備えたことを特徴とする健康管理指針アドバイス装置。
【請求項２】
表示部と、
被測定者の体重を測定する体重測定部と、
被測定者の生体インピーダンスを測定するインピーダンス測定部と、
使用者の体脂肪に係る値の算出に供される体重値を登録体重値として保持した記憶装置と、
前記体重測定部によって測定された体重値と前記登録体重値とを、体脂肪に係る値の算出に供される体重値として、前記表示部に交互に表示する制御部と
を備えたことを特徴とする健康管理指針アドバイス装置。
【請求項３】
表示部と、
被測定者の体重を測定する体重測定部と、
被測定者の生体インピーダンスを測定するインピーダンス測定部と、
使用者の体脂肪に係る値の算出に供される体重値としての登録体重値を含む個人データを保持した記憶装置と、
前記体重測定部によって体重が測定されこの測定された体重値が測定体重値ととして前記表示部に表示された後に、前記記憶装置から個人データを読み出して前記表示部に表示するときには、前記測定体重値を個人データとともに表示する制御部と
を備えたことを特徴とする健康管理指針アドバイス装置。
【請求項４】
前記記憶装置は、複数の被測定者の個人データを保持し、
前記制御部は、前記測定体重値を前記表示部に表示した後に、前記記憶装置から各個人データを読み出して前記表示部に個別に切り替えて表示するときには、前記測定体重値を各個人データとともに表示する
ことを特徴とする請求項３記載の健康管理指針アドバイス装置。
【請求項５】
前記制御部は、前記測定体重値を個人データとともに前記表示部に表示する場合には、体重値として測定体重値のみを表示する
ことを特徴とする請求項３又は４記載の健康管理指針アドバイス装置。
【発明の詳細な説明】
【０００１】
【発明の属する技術分野】
本発明は、健康管理指針アドバイス装置に関する。
【０００２】
【従来の技術】
従来、複数の使用者間での使用を前提とする健康管理指針アドバイス装置(例えば、意匠公報第１０２１７５８号にて開示された体重計等)は、複数の使用者の各個人データ(身長、体重、年齢等)を保持するメモリと、生体データの測定装置と、メモリに保持された個人データと測定装置によって測定された生体データとに基づいて、体内脂肪量，除脂肪量，水分量，基礎代謝量等の健康評価データを算出する制御部と、算出された健康評価用のデータを表示する表示部とを備えている。
【０００３】
健康管理指針アドバイス装置の各使用者は、個人データをメモリに予め記憶しておき、測定装置による生体データ測定の際に、該当する個人データを呼び出す。その後、当該使用者が測定装置によって生体データを測定すると、当該個人データと当該生体データとに基づいて、体内脂肪、除脂肪量、体脂肪率、水分量、基礎代謝量等の健康評価データ(体脂肪に係る値)が算出され、表示部に表示される。その後、使用者は、表示部に表示された健康評価データを参照することで、自身の健康管理に係る指針を得ることができる。
【０００４】
近年では、体重計と体脂肪計とを組み合わせた健康管理指針アドバイス装置(「組み合わせ型アドバイス装置」と称する)が市場に多く流通している。組み合わせ型アドバイス装置は、従来は使用者によって設定される個人データの一つであった体重値を、制御部による処理に供される生体データ(例えば、生体インピーダンス値等)とともに測定することができる。このため、制御部によって算出される健康評価データの精度向上を期待することができる。
【０００５】
体重計組み合わせ型アドバイス装置は、大別して、(１)体重測定に係る構成(体重計部)と生体データ測定に係る構成(生体データ測定部)とが一体に構成され、体重と生体データとをほぼ同時に測定することができるもの(例えば、特公平５−４９０５０号公報参照：以下、「先行例１」という)と、(２)体重計部と生体データ測定部とが分離しており、体重と生体データとを同時に測定できないもの(例えば、特開平７‐１０８０４０号公報参照：以下、「先行例２」という)とに分けられる。
【０００６】
先行例１では、通常の操作手順として、最初に、使用者が電源スイッチと兼用された個人番号スイッチを押下する(個人番号を特定する)。その後、使用者が体重計部の上に載ることで、体重及び生体データが同時に測定され、体重及び生体データの測定結果を用いた演算により求められた体内脂肪，除脂肪量，体脂肪率，水分量，基礎代謝量等の健康評価データ(体脂肪に係る値)が表示される。
【０００７】
一方、先行例２は、使用者の操作性を向上させるべく、手で操作される生体データ測定部に全ての操作スイッチが設けられていることが多い。また、先行例２には、体重や生体データの測定時における利便性向上のため、体重計部の電源が切れている状態でも、使用者が体重計部に載ると、自動的に体重計部の電源が投入され、使用者の体重が測定された後、生体データの測定が行われるように設計されているものもある。
【０００８】
先行例２の操作手順は、大略以下のようになる。即ち、使用者は、体重を測定した後に、予め登録してある自身の個人データを呼び出し、その後、生体データを測定する。すると、測定された体重値及び生体データと個人データとに基づいて健康評価データが算出・表示される。このように、体重測定に際しては、使用者の個人データは必要とされないため、個人データの呼び出しは、一般に、体重測定が終了した時点(即ち、体重測定から生体データの測定に移る際)に行われる。このとき、使用者が複数の個人データから自身のデータを特定する作業を容易とすべく、例えば、使用者の氏名や使用者番号と併せて、当該使用者の身長、体重、性別、年齢等の個人データが表示されるようになっている。
【０００９】
【発明が解決しようとする課題】
しかしながら、先行例２に係る装置には、以下の問題があった。即ち、先行例２では、体重測定が終了し使用者の体重値が確定すると、その確定した体重値(「測定体重値」と称する)が、生体データ測定部に設けられた表示部に表示される。その後に、使用者が自身の個人データを呼び出すと、個人データの内容が表示部に表示されるようになっていた。
【００１０】
ところが、先行例２では、表示部に体重値を表示する領域(体重表示領域)が一つしか用意されていなかったので、個人データに使用者の体重値が含まれている場合には、表示されていた測定体重値が表示部の表示内容から消去され、個人データに含まれた体重値(「登録体重値」と称する)が体重表示領域に表示される。さらに、一旦消去された測定体重値は、再度表示することができなかった。このため、使用者が、個人データの呼び出し後に表示部に表示されている体重値が測定体重値か登録体重値かを判別できなくなる場合があった。
【００１１】
即ち、先行例２では、健康評価データの算出に際し実際に体重を測定しなくても生体データを測定することで健康評価データを算出できるようにすべく、個人データの内容に体重値を含めており、且つ測定体重値の表示後に登録体重値が表示されると、測定体重値が表示内容から消去され再度表示できない構成となっていた。このため、使用者が、測定体重値と登録体重値との何れが健康評価データの算出に供されるのか分からなくなる場合があった。
【００１２】
また、逆に、個人データの呼び出し後に体重が測定された場合には、登録体重値が表示内容から消去され、測定体重値が表示されることとなるので、上記と同様の問題が生ずる可能性を有していた。
【００１３】
本発明は、上述した問題に鑑みなされたものであり、使用者が体重測定と個人データの呼び出しとを行った後、生体インピーダンス値，体重値，及び個人データを用いて体脂肪に係る値が算出される場合に、使用者がこの体脂肪に係る値の算出に利用される体重値を明確に判別することができる健康管理指針アドバイス装置を提供することを課題とする。
【００１４】
【課題を解決するための手段】
本発明は、上述した課題を解決するために以下の構成を採用する。
【００１５】
即ち、本発明の第１の態様は、健康管理指針アドバイス装置であり、表示部と、被測定者の体重を測定する体重測定部と、被測定者の生体インピーダンスを測定するインピーダンス測定部と、使用者の体脂肪に係る値の算出に供される体重値を登録体重値として保持した記憶装置と、前記体重測定部によって測定された体重値と前記登録体重値とを、体脂肪に係る値の算出に供される体重値として、前記表示部に同時に表示する制御部とを備えたことを特徴とする。
【００１６】
本発明の第１の態様によれば、測定された体重値(測定体重値)と登録体重値とが同時に表示されるので、測定体重値と登録体重値とを区別して認識することが可能となる。
【００１７】
本発明の第２の態様は、健康管理指針アドバイス装置であり、表示部と、被測定者の体重を測定する体重測定部と、被測定者の生体インピーダンスを測定するインピーダンス測定部と、使用者の体脂肪に係る値の算出に供される体重値を登録体重値として保持した記憶装置と、前記体重測定部によって測定された体重値と前記登録体重値とを、体脂肪に係る値の算出に供される体重値として、前記表示部に交互に表示する制御部とを備えたことを特徴とする。
【００１８】
第１及び第２の態様では、測定体重値と登録体重値とが被測定者に選択され、体脂肪に係る値の算出に供されるようにしても良く、測定体重値が表示された場合には、測定体重値が強制的に体脂肪に係る値の算出に供されるようにしても良い。
【００１９】
また、第１及び第２の態様では、例えば、表示位置を異ならせることで、両者を区別することができる。このとき、登録体重値と測定体重値との一方が他方よりも小さい文字で表示されるようにすれば、被測定者が両者を区別し易くなる。また、測定体重値と登録体重値との少なくとも一方の近傍に体重値の種類を示す付記表示(例えば、登録体重値の近傍に「メモリ」の文字を表示)が表示されるようにすれば、両者の区別がさらに容易となる。
【００２０】
本発明の第３の態様は、健康管理指針アドバイス装置であり、表示部と、被測定者の体重を測定する体重測定部と、被測定者の生体インピーダンスを測定するインピーダンス測定部と、使用者の体脂肪に係る値の算出に供される体重値としての登録体重値を含む個人データを保持した記憶装置と、前記体重測定部によって体重が測定されこの測定された体重値が測定体重値として前記表示部に表示された後に、前記記憶装置から個人データを読み出して前記表示部に表示するときには、前記測定体重値を個人データとともに表示する制御部とを備えたことを特徴とする。
【００２１】
第３の態様によれば、個人データの表示によって、測定体重値が表示内容から消去されてしまうことがない。
【００２２】
本発明の第３の態様は、前記記憶装置が、複数の被測定者の個人データを保持し、前記制御部は、前記測定体重値を前記表示部に表示した後に、前記記憶装置から各個人データを読み出して前記表示部に個別に切り替えて表示するときには、前記測定体重値を各個人データとともに表示するようにしても良い。
【００２３】
また、第３の態様では、前記制御部が、前記測定体重値を個人データとともに前記表示部に表示する場合には、体重値として測定体重値のみを表示するようにしても良い。
【００２４】
【発明の実施の形態】
以下、図面を参照して本発明の実施形態を説明する。
【００２５】
図１は、本発明の実施形態による健康管理指針アドバイス装置(以下、「アドバイス装置」という)１の外観構成図である。図１において、アドバイス装置１は、体重計２０と、体脂肪計３０とからなり、両者は、赤外線を用いてデータの送受信を行う。
【００２６】
体重計２０は、平面矩形の平板状を有しており、その平面は、使用者が体重を測定する際に載る測定台２１となっている。また、体重計２０の平面上には、送信データの送信窓２８が設けられており、その内側には、赤外線信号を放射する赤外線発光ダイオード２７(図２参照)が配置されている。
【００２７】
体脂肪計３０は、本体の左右両端にコの字状の各グリップ部２,３が設けられてなり、本体の正面の上側には、表示装置としての液晶ディスプレイ(ＬＣＤ)１０３がはめ込まれており、下側には、複数のキーからなるキー入力部１０４と、電源スイッチ４とが設けられている。
【００２８】
また、各グリップ部２,３は、ＬＣＤ１０３の表示画面の上下方向に沿ったグリップを有している。グリップ部２のグリップには、左手用電極として、通電用の電極１０５と、電位差測定用の電極１０７とが設けられており、グリップ部３のグリップには、右手用電極として、通電用の電極１０６と、電位差測定用の電極１０８とが設けられている。
【００２９】
キー入力部１０４は、身長入力モード選択スイッチ６と、テンキー７と、体重入力モード選択スイッチ８と、年齢入力モード選択スイッチ９と、性別入力モード選択スイッチ１０と、データ呼出ボタン１１と、確定ボタン１２と、計測開始スイッチ１３と、記録ボタン１４とからなる。
【００３０】
さらに、体脂肪計３０の本体の下部には、体重計２０から送信された赤外線信号の受信窓１５が設けられており、受信窓１５の内側には、赤外線信号を検出する赤外線センサ３５(図２参照)が配置されている。
【００３１】
図２は、図１に示したアドバイス装置１の回路構成図である。図２において、体重計２０は、電源２２と、体重測定部２３と、メモリ２５を有する制御部２４と、電源スイッチ２６と、赤外線発光ダイオード２７とからなる。
【００３２】
電源２２は、制御部２４に電力を常時供給するとともに、電源スイッチ２６が押されたときに、制御部２４からの命令に従って、体重測定部２３に動作電力を供給する。なお、図２において、電源２２の電力供給線は省略されている。
【００３３】
体重測定部２３は、測定台２１に載った使用者の体重による圧力に応じた電気的な信号を出力するロードセルと、ロードセルの出力信号を増幅する増幅回路と、増幅回路の出力信号をアナログ／ディジタル変換して制御部２４に入力するＡ／Ｄコンバータとからなる。
【００３４】
制御部２４は、マイクロプロセッサ(ＭＰＵ)又は中央処理装置(ＣＰＵ)等からなり、メモリ２５に保持された所定の制御プログラムに従って、体重測定部２３，赤外線発光ダイオード２７の動作を制御する。
【００３５】
メモリ２５は、制御プログラムを保持するとともに、制御部２４の作業領域として使用される。赤外線発光ダイオード２７は、制御部２４から体脂肪計３０へ送信すべきデータを受け取った場合に、そのデータに応じた赤外線信号を生成して放射する。
【００３６】
一方、体脂肪計３０は、生体インピーダンス測定部３１と、メモリ３３(記憶装置に相当)を有する制御部３２と、赤外線センサ３５と、受信回路３６と、第１電源３４と、第２電源３７とを有しており、生体インピーダンス測定部３１には、図１に示した各電極１０５〜１０８が接続されており、制御部３２には、図１に示した電源スイッチ４，ＬＣＤ１０３及びキー入力部１０４が接続されている。
【００３７】
生体インピーダンス測定部３１は、通電用の電極１０５,１０６間に高周波電流を通電させる定電流発生回路と、電極１０５,１０６間に高周波が通電されている際における電位差測定用の電極１０７,１０８間の電位差を検出・増幅する増幅回路と、増幅回路の出力信号をアナログ／ディジタル変換して制御部３２に入力するＡ／Ｄコンバータとからなる。
【００３８】
制御部３２は、ＭＰＵ又はＣＰＵ等からなり、メモリ３３に保持された所定の制御プログラムを実行する。これによって、制御部３２は、電源スイッチ４やキー入力部１０４からの入力信号に応じて、生体インピーダンス測定部３１や、ＬＣＤ１０３の動作を制御する。
【００３９】
メモリ３３は、制御プログラムを保持するとともに、制御部３２の作業領域をなす。また、メモリ３３は、制御部３２による体内脂肪，除脂肪量，体脂肪率，水分量，基礎代謝量等の健康評価データ（体脂肪に係る値）の算出に供される使用者の個人データ(身長値，体重値，年齢，性別)を、複数の使用者の夫々について保持することが可能となっている。
【００４０】
アドバイス装置１の各使用者は、自身の個人データをキー入力部１０４の操作によって登録することができる。但し、体重値については、キー入力部１０４の操作によって登録しても良く、体重計２０にて測定されＬＣＤ１０３に表示された体重値を記録ボタン１４の押下によって登録しても良くなっている。
【００４１】
赤外線センサ３５は、赤外線信号を検出する。受信回路３６は、赤外線センサ３５によって検出された赤外線信号からその赤外線信号によって搬送された送信データを取り出し、制御部３２に与える。
【００４２】
第１電源３４は、常時電源であり、赤外線センサ３５，受信回路３６及び制御部３２に常に電力を供給する。これによって、赤外線センサ３５及び受信回路３６は、体重計２０からの赤外線信号の受信を常時待機する状態にあり、制御部３２は、赤外線信号の受信状態を常に監視する状態にある。
【００４３】
第２電源３７は、体脂肪計３０の主電源であり、特定の信号が受信された場合に、制御部３２によって起動し、ＬＣＤ１０３や生体インピーダンス測定部３１等に動作電力を供給する。なお、第１電源３４及び第２電源３７の電力供給線は、図２では省略してある。
【００４４】
図３は、図２に示した体重計２０の動作例(制御部２４による処理)を示すフローチャートである。但し、この例では、図３に示す処理の開始前に、体脂肪計３０のメモリ３５に、複数の使用者の個人データ(登録体重値を含む)が登録されているものとする。
【００４５】
図３において、ステップ(以下、「Ｓ」と表記)０１では、制御部２４は、電源２２から電力供給によって常に起動している状態にあり、電源スイッチ２６が押されるのを待ち、電源スイッチ２６が押されると、処理をＳ０２に進める。
【００４６】
Ｓ０２では、制御部２４は、電源２２から体重計２０の各部に電力を供給させるとともに、体脂肪計３０の第２電源３７の起動信号を生成し、起動信号を赤外線発光ダイオード２７に与える。これによって、起動信号を含む赤外線信号が、体脂肪計３０へ向けて送信される。
【００４７】
Ｓ０３では、制御部２４は、測定部の校正処理(体重値の零調整)を行う。
【００４８】
Ｓ０４では、制御部２４は、校正処理が終了したか否かを判定し、終了していない場合には処理をＳ０２に戻し、終了した場合には処理をＳ０５へ進める。
【００４９】
Ｓ０５では、制御部２４は、校正処理が成功したか否かを判定し、成功していない場合には、処理をＳ１４へ進め、成功している場合には、処理をＳ０６へ進める。
【００５０】
Ｓ０６では、制御部２４は、校正終了信号を生成し、赤外線発光ダイオード２７から送信した後、処理をＳ０７に進める。
【００５１】
Ｓ０７において、使用者が測定台２１(図１参照)に載ると、制御部２４は、体重計２０にてエラーが発生したか否かを判定し(Ｓ０８)、エラーが発生している場合には、処理をＳ１４に進め、エラーが生じていない場合には、処理をＳ０９に進める。
【００５２】
Ｓ０９では、体重測定部２３及び制御部２４によって使用者の体重値が計量され、Ｓ１０では、計量された体重値が赤外線発光ダイオード２７を通じて体脂肪計へ送信される。
【００５３】
Ｓ１１では、制御部２４は、体重値が安定しているか否かを判定し、安定していない場合には、処理をＳ０８に戻す。このように、安定した体重値が計量されるまで、Ｓ０８〜Ｓ１１のループ処理が繰り返し行われ、各Ｓ０９にて計量された体重値が夫々送信される。そして、体重値が安定すると、処理がＳ１２へ進む。
【００５４】
Ｓ１２では、制御部２４は、安定した体重値をもって体重値を確定し、確定した体重値(確定体重値)を赤外線発光ダイオード２７から送信する。
【００５５】
Ｓ１３では、制御部２４は、体重の測定終了信号を生成し、赤外線発光ダイオード２８から表示器３０へ送信する。その後、所定の時間(例えば、３秒)が経過すると、オートパワーオフ機能によって、電源２２がＯＦＦとなり、赤外線発光ダイオード２７からの赤外線信号の送信が停止される。但し、制御部２４に対する電力供給は継続される。
【００５６】
これに対し、Ｓ１４に処理が進んだ場合には、エラーコードが体脂肪計３０に送信された後、オートパワーオフ機能によって、電源２２による電力供給が、制御部２４に対する電力供給を除いて停止する。
【００５７】
図４は、図２に示した体脂肪計３０の動作例(制御部３３による処理)を示すフローチャートである。図４において、制御部３３は、第１電源３４から電力供給を常時受けることで、常に起動した状態にある。
【００５８】
Ｓ００１では、制御部３３は、第２電源３７をＯＦＦ(停止)させた後、所定時間内に体脂肪計３０の電源スイッチ４が押されたか否かを判定する(Ｓ００２)、このとき、電源スイッチ４が押された場合には、処理がＳ００５に進み、押されていない場合には、処理がＳ００３へ進む。
【００５９】
Ｓ００３では、制御部３３は、所定時間内に体重計２０から赤外線信号を受信したか否かを判定し、赤外線信号を受信した場合には、処理をＳ００４に進め、そうでない場合には、処理をＳ００１に戻す。
【００６０】
Ｓ００４では、Ｓ００３にて受信した赤外線信号が第２電源３７(主電源)の起動信号か否かを判定し、そうでない場合には、処理をＳ００１に戻し、そうである場合には、処理をＳ００５に進める。
【００６１】
Ｓ００５では、制御部３３は、第２電源３７を投入し、処理をＳ００６へ進める。これによって、第２電源３７がＯＮ状態となり、第２電源３７が、ＬＣＤ１０３や生体インピーダンス測定部３１等の体脂肪計３０の各部に動作電力を供給する。これによって、ＬＣＤ１０３が起動し、起動時における表示内容がＬＣＤ１０３の表示画面に表示される。
【００６２】
Ｓ００６では、制御部３３は、所定時間内に電源スイッチ４が押されたか否かを判定し、押された場合には、処理をＳ００１に戻して第２電源３７をＯＦＦにする。これに対し、電源スイッチ４が押されなかった場合には、処理をＳ００７に進める。
【００６３】
Ｓ００７では、制御部３３は、所定時間内に赤外線信号が受信されたか否かを判定し、受信されなかった場合には、処理をＳ００１に戻して第２電源３７をＯＦＦにし、受信した場合には、処理をＳ００８に進める。
【００６４】
Ｓ００８では、制御部３３は、Ｓ００７にて受信された赤外線信号が体重計２０から送信された赤外線信号が否かを判定し、そうでない場合には、処理がＳ００１に戻り、そうである場合には、処理がＳ００９に進む。
【００６５】
ここで、体重計２０は、図３に示したように、起動信号が送信された後、校正終了信号，体重値，確定体重値，測定終了信号(又はエラーコード)を連続して送信する。このため、体脂肪計３０は、起動信号を受信した後には、赤外線信号の送信範囲から外れない限り、測定終了信号を受信するまで、赤外線信号を体重計２０から受信する状態となる。
【００６６】
従って、Ｓ００９では、制御部３３は、ＬＣＤ１０３に受信インジケータを表示させる。即ち、制御部３３は、例えば、ＬＣＤ１０３の表示画面に「受信中」の文字を表示させる。その後、処理がＳ０１０に進む。
【００６７】
Ｓ０１０では、制御部３３は、Ｓ００７にて受信された赤外線信号がエラーコードを含んでいるか否かを判定する。このとき、エラーコードが含まれている場合(Ｓ０１０；Ｙ)には、制御部３３は、体重計２０にエラーが発生したものとして、エラーコードの内容(体重計２０にて生じたエラー内容)をＬＣＤ１０３に表示させた後(Ｓ０１５)、処理をＳ０１７に進める。これに対し、エラーコードが含まれていない場合(Ｓ０１０；Ｎ)には、処理をＳ０１１に進める。
【００６８】
Ｓ０１１では、制御部３３は、体脂肪計３０にてエラーが発生したか否かを判定し、そうである場合(Ｓ０１１；Ｙ)には、体脂肪計３０にて生じたエラー内容をＬＣＤ１０３に表示させた後(Ｓ０１６)、処理をＳ０１７に進める。これに対し、エラーが生じていない場合(Ｓ０１１；Ｎ)には、処理をＳ０１２に進める。
【００６９】
Ｓ０１２では、制御部３３は、体重計２０から受信した赤外線信号に体重値(確定体重値を除く)が含まれていれば、その体重値をＬＣＤ１０３に表示させた後、処理をＳ０１３に進める。
【００７０】
Ｓ０１３では、制御部３３は、測定終了信号を含む赤外線信号を受信したか否かを判定し、受信していない場合(Ｓ０１３；Ｎ)には、処理をＳ００７に戻すことによって、Ｓ００７〜Ｓ０１３のループ処理を行い、校正終了信号，体重値，確定体重値，測定処理信号の夫々を体重計２０から受信し、校正終了信号の受信後に受信された各体重値をＬＣＤ１０３に表示する。そして、制御部３３は、確定体重値が受信され且つ測定終了信号が受信された場合(Ｓ０１３；Ｙ)には、処理をＳ０１４に進める。
【００７１】
Ｓ０１４では、制御部３３は、ＬＣＤ１０３に確定体重値を表示させる。このとき、ＬＣＤ１０３に確定体重値を点滅表示させることで、使用者に確定体重値であることを認識させる。このとき、使用者が、記録ボタン１４を押せば、表示されている確定体重値が、個人データとしてメモリ３５に登録される。その後、処理がＳ０１７に進む。
【００７２】
Ｓ０１７では、制御部３３は、受信インジケータをＯＦＦにする。即ち、ＬＣＤ１０３に表示されている受信インジケータを消灯させた後、処理をＳ０１８に進める。
【００７３】
Ｓ０１８では、制御部３３は、現在の体脂肪計３０のモードが体脂肪測定モードになっているか否かを判定し、なっていない場合には、処理をＳ００１に戻し、なっている場合には、処理をＳ０１９に進める。
【００７４】
Ｓ０１９では、使用者による個人データ選択処理が行われる。図５は、ＬＣＤ１０３に表示される個人データの表示内容を示す図であり、図６(ａ)〜(ｃ)は、個人データ選択処理において、ＬＣＤ１０３に表示される画面表示例を示す図である。但し、ここでは、例として、個人番号“１"が割り当てられた女性の個人データと、個人番号“２"が割り当てられた男性の個人データとがメモリ３５に保持されているものとする。
【００７５】
Ｓ０１９において、使用者がデータ呼出ボタン１１を押下すると、図５に示す個人データがＬＣＤ１０３に表示される。即ち、身長値，体重値，年齢，性別及び各使用者に割り当てられる個人番号を示す数字が、ＬＣＤ１０３の表示画面に表示される。
【００７６】
Ｓ０１９の処理開始時には、図６(ａ)に示すように、確定体重値がＬＣＤ１０３の表示画面の右上に表示された状態となっている。ここで、使用者がデータ呼出ボタン１１を押下すると、ＬＣＤ１０３には、個人番号“１"に対応する個人データが表示される。
【００７７】
即ち、図６(ｂ)に示すように、ＬＣＤ１０３の表示画面には、その右上に確定体重値(測定体重値)が表示されたままの状態で、その左側に、個人番号“１"に該当する使用者の身長値，年齢，性別及び個人番号が表示される。さらに、個人番号“１"の個人データとして登録されていた体重値(登録体重値)が、確定体重値の下に登録体重値であることを示す「メモリ」の文字とともに、確定体重値よりも小さい数字で表示される。
【００７８】
その後、使用者が、テンキー７のうちの自身の個人番号に対応するキーを押せば、その個人番号に対応する個人データが、個人番号“１"の個人データに変わって表示される。ここでは、現在の使用者に割り当てられた個人番号が“２"であるものとすると、テンキー７の“２"キーを使用者が押せば、個人番号“２"に対応する個人データが個人番号“１"の個人データに代わってＬＣＤ１０３に表示される。
【００７９】
このとき、確定体重値は、図６(ｃ)に示すように、表示されたままの状態を維持し、個人番号“１"の個人データが、個人番号“２"の個人データに切り替わる。このときも、メモリ３５に個人番号“１"に対応する登録体重値が保持されている場合には、確定体重値の下にその登録体重値が表示される。
【００８０】
その後、例えば、使用者が、テンキー７の“１"キーを押せば、再び個人番号“１"に対応する個人データがＬＣＤ１０３に表示される。即ち、ＬＣＤ１０３の表示内容が、図６(ｂ)に示す状態に戻る。即ち、使用者がテンキー７の“１"キーと“２"キーとを交互に押せば、図６(ｂ)の表示内容と、図６(ｃ)の表示内容とが交互にＬＣＤ１０３に表示される。
【００８１】
このように、使用者が個人データを選択するために、個人データを読み出しても、また、ＬＣＤ１０３に表示する個人データを切り替えても、確定体重値は、同じ位置に表示されたままの状態を維持する。従って、従来のように、個人データの呼び出しによって、表示されていた確定体重値(測定体重値)が消去されることがない。また、メモリ３５に保持されている登録体重値は、確定体重値の下に識別可能な態様で表示されるので、使用者は、確定体重値(測定体重値)と登録体重値とを容易に判別することができる。
【００８２】
その後、使用者は、キー入力部１０４の操作によって、健康評価データ(体脂肪に係る値)の算出に供される体重値を、ＬＣＤ１０３に同時に表示されている確定体重値と登録体重値との何れかから選択することができる。このようにして、個人データを選択し、確定ボタン１２を押せば、そのとき表示されている個人データと、選択された体重値とが、健康評価データの算出に供される値として確定する。その後、処理がＳ０２０に進む。
【００８３】
Ｓ０２０では、体脂肪測定処理が行われる。即ち、使用者が、体脂肪計３０の正面側から左手の掌を各電極１０５,１０７に接触させた状態でグリップ部２を握るとともに、右手の掌を各電極１０６,１０８に接触させた状態でグリップ部３を握り、両腕を水平面に対して平行となるように前方へ伸ばすことによって、生体インピーダンスの測定姿勢をとる(図７参照)。
【００８４】
その後、使用者が、計測開始スイッチ１３を押すと、生体インピーダンス測定部３１によって、電極１０７,１０８間の電位差が測定され、制御部３３が、測定された電位差から使用者の生体インピーダンス値を算出する。続いて、制御部３３は、Ｓ０１９にて選択された体重値(確定体重値又は登録体重値)，測定された生体インピーダンス値，個人データとしての身長値，年齢，性別を、体脂肪に係る値の所定の推算式に代入することによって、健康評価データ(例えば、体脂肪率)を算出する。
【００８５】
その後、制御部３３は、Ｓ０２０にて算出した体脂肪率をＬＣＤ１０３に表示させた後(Ｓ０２１)、処理をＳ００１に戻す。
【００８６】
以上説明したように、本実施形態によれば、体重測定後(確定体重値の表示後)に、個人データを呼び出したり切り替えたりすることで、確定体重値が表示内容から消去されず、また、確定体重値と登録体重値とが識別可能な状態で表示される。このため、使用者は、確定体重値(測定体重値)と登録体重値とを明確に把握した上で、何れか一方を健康評価データ(体脂肪に係る値)の算出に用いることができる。但し、体重測定が行われた場合には、強制的に確定体重値が体脂肪に係る値の算出に供される構成としても良い。
【００８７】
従って、従来のように、使用者が測定体重値と登録体重値との何れを用いて体脂肪に係る値が算出されるのかが分からなくなるといった問題を回避することができる。
【００８８】
なお、本実施形態では、ＬＣＤ１０３の表示画面が確定体重値(測定体重値)と登録体重値との２つの体重値の体重値表示領域を有する場合について説明したが、ＬＣＤ１０３が一つの体重値表示領域しか有しない場合には、図８に示すように、確定体重値が個人データの切替によっては表示内容から消去されず、表示されたままの状態を維持するようにすれば、ＬＣＤ１０３には、登録体重値は表示されないことになる。
【００８９】
このため、体重の測定終了時点から個人データの選択画面においても、常に同じ位置に同一の体重値が表示されることになるので、使用者が体脂肪に係る値の算出に供される体重値が確定体重値であることを明確に把握することができる。この場合には、確定体重値が強制的に体脂肪に係る値の算出に供される。
【００９０】
また、本実施形態では、確定体重値(測定体重値)と登録体重値とが同時に表示される構成としたが、キー入力部１０４の操作によって、確定体重値と登録体重値とが交互に表示される構成としても良い。このとき、各体重値が表示される位置は、同じであっても良く、異なっていても良い。
【００９１】
なお、本実施形態では、体重計２０と体脂肪計３０とが非接触通信(赤外線通信)によってデータを送受信する例について説明したが、体重計２０と体脂肪計３０とが、有線(電力ケーブル及びデータ伝送線)で接続され、有線を通じて両者が電力供給及びデータの送受信を行う構成であっても良い。
【００９２】
【発明の効果】
本発明による健康管理指針アドバイス装置によれば、使用者が体重測定と個人データの呼び出しとを行った後、生体インピーダンス値，体重値，及び個人データを用いて体脂肪に係る値が算出される場合に、使用者がこの体脂肪に係る値の算出に利用される体重値を明確に判別することができる。
【図面の簡単な説明】
【図１】本発明の実施形態による健康管理指針アドバイス装置の外観構成図
【図２】図１に示した健康管理指針アドバイス装置の回路構成図
【図３】図２に示した体重計の制御部による処理を示すフローチャート
【図４】図２に示した体脂肪計の制御部による処理を示すフローチャート
【図５】図１に示したＬＣＤに表示される個人データの表示内容を示す図
【図６】図１に示したＬＣＤの画面表示例を示す図
【図７】生体インピーダンスの測定姿勢の説明図
【図８】図１に示したＬＣＤの画面表示例を示す図
【符号の説明】
１      健康管理指針アドバイス装置
２,３  グリップ部
４      電源スイッチ
６      身長入力モード選択スイッチ
７      テンキー
８      体重入力モード選択スイッチ
９      年齢入力モード選択スイッチ
１０    性別入力モード選択スイッチ
１１    データ呼出ボタン
１３    計測開始スイッチ
１４    記録ボタン
１５    受信窓
２０    体重計
２１    測定台
２２    電源
２３    体重測定部
２４    制御部
２５    メモリ
２６    電源スイッチ
２７    赤外線発光ダイオード
２８    送信窓
３０    体脂肪計
３１    生体インピーダンス測定部
３２    制御部
３３    メモリ
３４    第１電源
３５    赤外線センサ
３６    受信回路
３７    第２電源
１０３  表示装置(ＬＣＤ)
１０４  キー入力部
１０５〜１０８  電極
【図１】
0003668833.tif 000002
【図２】
0003668833.tif 000003
【図３】
0003668833.tif 000004
【図４】
0003668833.tif 000005
【図５】
0003668833.tif 000006
【図６】
0003668833.tif 000007
【図７】
0003668833.tif 000008
【図８】
0003668833.tif 000009